(57)【要約】【課題】  本考案は、回転比を有効に減らす光学式ヘッドの送り機構を提供することを目的とする。【解決手段】  光学式ヘッドの送り機構は、光記録再生の装置に用いられ、光学式ヘッド、モータ、該モータと連接された第一のアングル歯車、光学式ヘッドと連接されたラック、及び平歯車と第二アングル歯車を具備する傘状の歯車組を備える。該モータと傘状の歯車組がベースに取付けられ、該平歯車と第二のアングル歯車が連動し、且つ該傘状の歯車組が該ベースの上の回転軸に取付けられ、該平歯車と該ラックが係合し、該第二のアングル歯車と該第一のアングル歯車が係合する。【選択図】  図３
0003103566.tif 000002
【実用新案登録請求の範囲】
【請求項１】
光学式ヘッドの送り機構であって、
光学式ヘッド、モータ、該モータと連接された第一のアングル歯車、前記光学式ヘッドと連接されたラック、及び平歯車と第二アングル歯車を具備する傘状の歯車組を備え、
該モータと傘状の歯車組がベースに取付けられ、且つ該傘状の歯車組が該ベースの上の回転軸に取付けられ、該平歯車と該ラックとが係合し、該第二のアングル歯車と該第一のアングル歯車とが係合することを特徴とする光学式ヘッドの送り機構。
【請求項２】
前記平歯車と第二のアングル歯車は連動し、且つ該第二のアングル歯車の直径は平歯車の直径より大きいことを特徴とする請求項１に記載の光学式ヘッドの送り機構。
【請求項３】
前記第二のアングル歯車はベースに位置し、且つ該第二のアングル歯車は第一の貫通孔を具備し、該平歯車は該第一の貫通孔と連通した第二の貫通孔を具備することを特徴とする請求項２に記載の光学式ヘッドの送り機構。
【請求項４】
前記第一の貫通孔の直径は第二の貫通孔の直径より大きく、二つの貫通孔の界面にベンチが形成されることを特徴とする請求項３に記載の光学式ヘッドの送り機構。
【請求項５】
前記第一の貫通孔の中に位置し、且つ前記ベンチに近接した間座を更に備えることを特徴とする請求項４に記載の光学式ヘッドの送り機構。
【請求項６】
前記第一の貫通孔の中に位置し、且つ前記間座とベースの間に位置した第一のばねを更に備えることを特徴とする請求項５に記載の光学式ヘッドの送り機構。
【請求項７】
前記ラックはその一側に位置する歯部、及びその他側に位置する突出部を具備し、前記平歯車は歯部を具備し、該ラックの歯部と平歯車の歯部が係合することを特徴とする請求項６に記載の光学式ヘッドの送り機構。
【請求項８】
前記ラックの突出部により定位して、前記ラックと光学式ヘッドの間に位置した第二のばねを備えることを特徴とする請求項７に記載の光学式ヘッドの送り機構。
【請求項９】
前記モータを収納するフレームと該フレームから延在する舌部を具備するモータキャリヤを更に備え、傘状の歯車組を取付けるための回転軸は該舌部から垂直に延在し、且つ該回転軸は平歯車の第二の貫通孔と第二のアングル歯車の第一の貫通孔を貫通することを特徴とする請求項８に記載の光学式ヘッドの送り機構。
【請求項１０】
前記傘状の歯車組を取付けるための回転軸は、該ベースにびょう締めされ、且つ平歯車の第二の貫通孔と第二のアングル歯車の第一の貫通孔を貫通することを特徴とする請求項８に記載の光学式ヘッドの送り機構。
【考案の詳細な説明】
【技術分野】
【０００１】
本考案は、光学式ヘッドの送り機構に関し、特に光記録再生装置に用いられる光学式ヘッドの送り機構に関するものである。
【背景技術】
【０００２】
光記録再生装置において、光学式ヘッドは光ディスクの信号を記録再生するためのレーザ光を発射する。光学式ヘッドの送り機構は、光学式ヘッドを駆動して光ディスクの半径方向に沿って移動させる。
【０００３】
従来技術による光学式ヘッドの送り機構８０は図５に示す機構のようである。該光学式ヘッドの送り機構８０は、光記録再生装置９９に用いられており、モータ８０１、モータ８０１と連接されたスクリュー８０２、及び光学式ヘッド７０と係合したねじ部８０３を含む。ねじ部８０３とスクリュー８０２が連結される。モータ８０１はスクリュー８０２を駆動して回転させ、スクリュー８０２の回転はねじ部を連動させ、従って、光学式ヘッド７０は移動する。
【０００４】
しかし、前記の従来技術による光学式ヘッドの送り機構において、スクリューは光学式ヘッドを、直接、駆動して移動させ、光学式ヘッドの送り機構の回転比を有効に減じない。つまり、モータが一回転してスクリューを駆動させる場合、光学式ヘッドの移動距離はより大きく、一つのねじピッチに相当する。光学式ヘッドを精確に定位するように、該光学式ヘッドの送り機構はより高コストのステッピングモータを使用する必要があり、コストが増大することになる。
【考案の開示】
【考案が解決しようとする課題】
【０００５】
本考案は、回転比を有効に減じる光学式ヘッドの送り機構を提供することを目的とする。
【課題を解決するための手段】
【０００６】
前記の目的を達成するために、本考案は一種の光学式ヘッドの送り機構を提供し、それは光読書きヘッド、モータ、該モータと連接された第一のアングル歯車、光学式ヘッドと連接されたラック、及び平歯車と第二アングル歯車を具備する傘状の歯車組を備え、該モータと傘状の歯車組がベースに取付けられ、且つ該傘状の歯車組が該ベースの上の回転軸に取付けられ、該平歯車と該ラックが係合し、該第二のアングル歯車と該第一のアングル歯車が係合する。
【考案の効果】
【０００７】
従来技術と比べて、本考案の光学式ヘッドの送り機構は前記の傘状の歯車組により回転比を有効に減じる。従って、モータが一回転する場合に、光学式ヘッドの移動距離がより小さく、光ディスクの信号をより精確に読取することができる。
【考案を実施するための最良の形態】
【０００８】
図１及び図２を参照されたい。本考案の光学式ヘッドの送り機構１は光記録再生装置１００に用いられる。該光記録再生の装置１００は、ベース２、回動機構３、光学式ヘッド４、及びガイドロッド５を備える。該回動機構３はベース２の一つの表面に設けられ、ガイドロッド５及び光学式ヘッドの送り機構１はベース２の相対した他の表面に設けられる。回動機構３はその上に設けられた光ディスク（図示ず）を駆動して回転させ、光学式ヘッドの送り機構１は光記録再生装置４を駆動してガイドロッド５のガイド作用によって該光ディスクの半径方向に移動させ、該光ディスクの信号を記録再生するように構成されている。
【０００９】
図３を同時に参照されたい。光学式ヘッドの送り機構１は、モータ１１、モータキャリヤ１２、モータ１１と連接された第一のアングル歯車１３、傘状の歯車組１４及びラック１５を備える。該モータ１１と傘状の歯車組１４がベース２に取付けられる。該傘状の歯車組１４は平歯車１４１と第二アングル歯車１４２を具備する。該第二アングル歯車１４２がベース２に近接し、該平歯車１４１が第二アングル歯車１４２と連動して、且つ第二アングル歯車１４２上に位置する。該第二のアングル歯車１４２と該第一のアングル歯車１３が係合し、該平歯車１４１とラック１５が係合する。
【００１０】
モータキャリヤ１２は、フレーム１２４及び該フレーム１２４の上表面から延在する舌部１２３を具備する。フレーム１２４にはモータ１１が収納される。二つの耳部１２１（図に一つだけを示す）は別々に該フレーム１２４の両側の底部から延在し、各耳部１２１は全て取付け穴１２６を具備し、ねじ１２５が、取付け穴１２６と、ベース２の上の対応したねじ穴（図示せず）と互いに係合することによって、該フレーム１２がベース２に固定され、同時に該フレームの中に収納されたモータ１１をベース２に固定させる。回転軸１２２が該舌部１２３の端部からベース２の方向に延在し、且つ該回転軸１２２が該舌部１２３に対して垂直になされる。
【００１１】
傘状の歯車組１４は、ベース２と、モータキャリヤ１２の舌部１２３との間に位置し、且つ回転軸１２２とベース２の上の取付け穴２１との係合によりベース２に固定される。傘状の歯車組１４が回転軸１２２の回りを回転する。図４を同時に参照されたい。該傘状の歯車組１４の第二アングル歯車１４２は第一の貫通孔１４２１を具備し、平歯車１４１は第二の貫通孔１４１１を具備する。第一の貫通孔１４２１と第二の貫通孔１４１１が互いに連通し、且つ第一の貫通孔１４２１の直径は第二の貫通孔１４１１の直径より大きく、従って貫通孔１４２１、１４１１の界面にベンチが形成される。間座１４３と歯車ばね１４４は第一の貫通孔１４２１の中に位置し、且つ間座１４３が前記ベンチに位置し、歯車ばね１４４が間座１４３とベース２の間に位置する。間座１４３は歯車ばね１４４と第一の貫通孔１４２１の内壁との摩擦を防止するように構成されている。歯車ばね１４４は傘状の歯車組１４と第一のアングル歯車１３の接触力の大きさを測定すると共に、トラックスリップあるいは押え過ぎるのを防止でき、安定に運動することが確保できる。第二のアングル歯車１４２の直径は平歯車１４１の直径より大きい。第二のアングル歯車１４２は歯部１４２２を具備し、平歯車１４１は歯部１４１２を具備する。第二のアングル歯車１４２の歯部１４２２と平歯車１４１の歯部１４１２とが一定の角度に形成される。
【００１２】
ラック１５は平板状に形成される。歯部１５１は、ラック１５の一側に位置し、傘状の歯車組１４の平歯車１４１と係合する。突出し部５４は該ラック１５の他側に位置する。ラックばね１５３は、該突出し部５４の定位作用によりラック１５と光学式ヘッド４の間に挟まれる。該ラックばね１５３は、傘状の歯車組１４とラック１５との接触する位置を測定すると共に、ラック１５が上下に翻るのを防止する。二つのガイド係合環１５２は、ラック１５の中部から延在し、ガイドロッド５と係合し、且つ光学式ヘッド４とガイドロッド５との対応した係合部（図示せず）をその中に挟み、光学式ヘッド４を駆動して移動させるように構成されている。
【００１３】
前記光学式ヘッドの送り機構の作動原理は、モータ１１から該モータ１１と連接された第一のアングル歯車１３を駆動して回転させる。該第一のアングル歯車１３と傘状の歯車組１４の第二の平歯車１４２が係合するため、該第一のアングル歯車１３の回動は傘状の歯車組１４を連動して回転させる。該傘状の歯車組１４は傘状の歯車組１４の平歯車１４１と係合したラック１５を連動して光ディスクの半径の方向に沿って移動させ、従って、光学式ヘッド４を連動して移動させるものである。
【００１４】
回転軸１２２もびょう締めあるいはは他の方式によりベース２に取付けられ、傘状の歯車組１４を回転軸１２２の回りを回転させるように構成されている。
【００１５】
前記を総じて、本考案は実用新案登録要件を十分に備えているので、実用新案法により登録されてしかるべきである。また、上述した実施形態は本願の単なる好ましい実施形態に過ぎず、本考案の実用新案登録請求の範囲を限定するものではない。当業者が本考案の思想に基づきなしうる修正或いは変更は、いずれも本考案の実用新案登録請求の範囲に属するものである。
【産業上の利用可能性】
【００１６】
本考案は光学式ヘッドの送り機構は、前記の第一のアングル歯車、傘状の歯車組、及びラック１５とが互いに係合するによって、回転比が有効に減じられ、従って、光学式ヘッドの精確な定位の要求を満足させることができる。
【図面の簡単な説明】
【００１７】
【図１】本考案の光学式ヘッドの送り機構及び該送り機構を備えた光記録再生装置の立体的模式図である。
【図２】図１に示した光学式ヘッドの送り機構及び該送り機構を備えた光記録再生装置の他面の立体的模式図である。
【図３】本考案の光学式ヘッドの送り機構の立体的分解図である。
【図４】本考案の光学式ヘッドの送り機構の傘状の歯車組の下方からの立体的模式図である。
【図５】従来の技術による光学式ヘッドの送り機構及び該送り機構を備えた光記録再生装置の立体的模式図である。
【符号の説明】
【００１８】
１  光学式ヘッドの送り機構
２  ベース
３  回動機構
４  光学式ヘッド
５  ガイドロッド
１１  モータ
１２  モータキャリヤ
１３  第一のアングル歯車
１４  傘状の歯車組
１５  ラック
２１  取付け穴
７０  光学式ヘッド
８０  光学式ヘッドの送り機構
９９  光記録再生の装置
１００  光記録再生装置
１２１  耳部
１２２  回転軸
１２３  舌部
１２４  フレーム
１２５  ねじ
１２６  取付け穴
１４１  平歯車
１４２  第二のアングル歯車
１４３  間座
１４４  歯車ばね
１５１  歯部
１５２  ロッド配合環
１５３  ラックばね
１５４  突出し部
８０１  モータ
８０２  スクリュー
８０３  ねじ部
１４１１  第二の貫通孔
１４１２  歯部
１４２１  第一の貫通孔
１４２２  歯部
【図１】
0003103566.tif 000003
【図２】
0003103566.tif 000004
【図３】
0003103566.tif 000005
【図４】
0003103566.tif 000006
【図５】
0003103566.tif 000007